(57)【要約】      （修正有）【課題】多機能化を実現しながら、実用性が強く、コストが低い園林景観照明を提供する。【解決手段】本体１００を含み、本体１００の中に防風収縮装置とランプほやクリーニング装置とスイングスプリンクラーが設けられ、本体１００は左側が歩道１０９であり、右側がブッシュ１１７である地面１１１に取り付けられ、本体１００の頂端には第一空きチャンバ１０２が設けられ、第一空きチャンバ１０２の底端には左に開口した第二空きチャンバ１３２が設けられ、第二空きチャンバ１３２と第一空きチャンバ１０２との間には駆動モータ１３５が固定される園林景観照明。【選択図】図１
2020155396.tif 000002
【特許請求の範囲】
【請求項１】
本発明の園林景観照明は本体を含み、前記本体の中には防風収縮装置とランプほやクリーニング装置とスイングスプリンクラーが設けられる；前記本体は前記地面に取り付けられ、前記地面の左側が歩道であり、前記地面の右側はブッシュで、前記本体の頂端には第一空きチャンバが設けられ、前記第一空きチャンバの底端には左に開口した第二空きチャンバが設けられ、前記第二空きチャンバと前記第一空きチャンバとの間には駆動モータが固定され、前記第二空きチャンバの中には前記本体から差し出す第一スライダーがスライドできるように設置され、前記第一スライダーの底端には左に開口した第三空きチャンバが連通し、前記第三空きチャンバの右側端壁の中には第四空きチャンバが設けられ、前記第四空きチャンバの底端には右に開口した第五空きチャンバが設けられ、前記第一スライダーの左端には第六空きチャンバが設けられ、前記第六空きチャンバが下方に伸びており、且つ第一回転軸と回転できるように設置され、前記第六空きチャンバの中の前記第一回転軸の末端には第一傘歯車が固定され、第一スライダーの外端の前記第一回転軸の末端には第一円盤が固定され、前記第一円盤の底端にはランプほやが固定され、前記ランプほやと前記第一円盤との間には第七空きチャンバが形成され、前記第一円盤の中心が下方に伸びており、且つ前記第一円盤の中心には灯管が固定され、前記第一円盤の左側頂面には第一光センサーが固定され、前記第一円盤の左側には前記第一スライダーと固定される第一固定ブロックが設けられ、前記第一固定ブロックの右端面には前記第一光センサーと係合される第二光センサーが固定され、前記第二光センサーの底端には前記ランプほやと接触し係合される埃除きブロックが固定され、前記第六空きチャンバの右側端壁の中にはスプラインスリーブが回転できるように設置され、前記第六空きチャンバの中の前記スプラインスリーブの末端には前記第一傘歯車と噛み合う第二傘歯車が固定され、前記スプラインスリーブの右端にはスプライン軸が伝動できるように接続され、前記第一スライダーと前記第二空きチャンバとの間には第一バネが接続され、前記第二空きチャンバの頂壁には第一スライド溝が連通し、前記第一スライド溝の中には第二スライダーがスライドできるように設置され、前記第二スライダーの左端には永久磁石が固定され、前記第一スライド溝の左端壁の中には前記永久磁石と係合される電磁石が設けられ、前記永久磁石の右端には第一通電導片が固定され、前記駆動モータの左端には前記第一通電導片と係合される第二通電導片が固定され、前記の頂壁には第二スライド溝が連通し、前記第二スライド溝の中には前記第二スライダーと固定的に接続される第三スライダーがスライドできるように設置され、前記第三スライダーと前記第二スライド溝との間には第二バネが接続され、前記第二空きチャンバの中の前記スプライン軸の末端には第三傘歯車が固定され、前記第三傘歯車の左端には第二円盤が左右に対称的に設けられ、前記第二円盤の間には前記第二スライダーと固定される第二固定ブロックが設けられることを特徴とする園林景観照明。
【請求項２】
前記第二空きチャンバと前記第四空きチャンバとの間には前記駆動モータと回転できるように接続される第二回転軸が回転できるように接続され、前記第二空きチャンバの中の前記第二回転軸の外表面には前記第三傘歯車と係合される第四傘歯車が固定され、前記第四傘歯車の底端には円形歯車が固定され、前記第一スライダーの右端面には前記円形歯車と噛み合うラックが固定され、前記第一空きチャンバと前記本体の頂端には第三回転が回転できるように設置され、前記本体の外端の前記第三回転にはタービンブレードが固定され、前記第一空きチャンバの中の前記第三回転には第三円盤が固定され、前記第三円盤には第三バネによって第三固定ブロックが接続され、前記第三固定ブロックの外側には第三通電導片が固定され、前記第二通電導片の頂面には前記第三通電導片と係合される第四通電導片が固定されることを特徴とする請求項1に記載の園林景観照明。
【請求項３】
前記スイングスプリンクラーは前記第四空きチャンバを含み、前記第四空きチャンバの中の第二回転軸の末端には第四円盤が固定され、前記第四円盤の底面には第四回転軸が回転し、前記第四回転軸の外側表面には歯止めが固定され、前記歯止めと前記第四円盤との間には第四バネが接続され、前記第四空きチャンバと前記第五空きチャンバとの間には第五回転軸が回転できるように接続され、前記第四空きチャンバの中の前記第五回転軸の末端には前記歯止めと係合されるラチェットが固定され、前記第五空きチャンバの中の前記第五回転軸の末端には第五円盤が固定され、前記第五空きチャンバの左端には第六回転軸が回転できるように設置され、前記第六回転軸外表面には右に伸びている第四固定ブロックが固定され、前記第四固定ブロックの中には第三スライド溝が設けられ、前記第五円盤の底面には前記第三スライド溝の中にスライドできるように設置される第四スライダーが固定され、前記第四固定ブロックの右端にはウォーターポンプが固定され、前記ウォーターポンプの右端にはシャワーが設けられ、前記ウォーターポンプの左端には第五通電導片が設けられ、前記第五通電導片の左端には第四スライド溝が設けられ、前記第四スライド溝の中には第五スライダーがスライドできるように設置され、前記第五スライダーと前記第四スライド溝との間には第五バネが接続され、前記第五スライダーの右端面には前記第五通電導片と係合される第六通電導片が固定され、前記地面の中の前記本体の右端面には前記ブッシュと接触する湿度センサーが固定され、前記駆動モータの右端面には第七通電導片が固定され、前記第七通電導片と前記湿度センサーには通電ワイヤが電力によって接続されることを特徴とする請求項1に記載の園林景観照明。
【発明の詳細な説明】
【技術分野】
【０００１】
本発明は景観照明分野を取り上げて、具体的には園林景観照明である。
【背景技術】
【０００２】
伝統的な景観照明は単一の機能を持ち、照明したり雰囲気をあおったりするための景観照明としてのみ使用され、同時に、伝統的な景観照明は強風や大雨などの悪天候でも簡単に損傷を受け、園林にとって、景観照明の耐久性が非常に重要で、伝統的な景観照明はセルフクリーニングができなく、使用時間が長すぎると、その性能は徐々に悪くなり、園林の景観照明の数は膨大で、そして手動洗浄プロセスの効率は非常に低い。
そのためには、上記の問題を解決するために園林景観照明とその機器をデザインする必要があり、多機能化を実現しながら、実用性が強い、コストが低い。
【先行技術文献】
【特許文献】
【０００３】
【特許文献１】中国特許出願公開第107957042号明細書
【発明の概要】
【発明が解決しようとする課題】
【０００４】
本発明の目的は園林景観照明を提供し、それは上記の現在の技術中の問題を解決できる。
【課題を解決するための手段】
【０００５】
本発明の園林景観照明は本体を含み、前記本体の中には防風収縮装置とランプほやクリーニング装置とスイングスプリンクラーが設けられる；前記本体は前記地面に取り付けられ、前記地面の左側が歩道であり、前記地面の右側はブッシュで、前記本体の頂端には第一空きチャンバが設けられ、前記第一空きチャンバの底端には左に開口した第二空きチャンバが設けられ、前記第二空きチャンバと前記第一空きチャンバとの間には駆動モータが固定され、前記第二空きチャンバの中には前記本体から差し出す第一スライダーがスライドできるように設置され、前記第一スライダーの底端には左に開口した第三空きチャンバが連通し、前記第三空きチャンバの右側端壁の中には第四空きチャンバが設けられ、前記第四空きチャンバの底端には右に開口した第五空きチャンバが設けられ、前記第一スライダーの左端には第六空きチャンバが設けられ、前記第六空きチャンバが下方に伸びており、且つ第一回転軸と回転できるように設置され、前記第六空きチャンバの中の前記第一回転軸の末端には第一傘歯車が固定され、第一スライダーの外端の前記第一回転軸の末端には第一円盤が固定され、前記第一円盤の底端にはランプほやが固定され、前記ランプほやと前記第一円盤との間には第七空きチャンバが形成され、前記第一円盤の中心が下方に伸びており、且つ前記第一円盤の中心には灯管が固定され、前記第一円盤の左側頂面には第一光センサーが固定され、前記第一円盤の左側には前記第一スライダーと固定される第一固定ブロックが設けられ、前記第一固定ブロックの右端面には前記第一光センサーと係合される第二光センサーが固定され、前記第二光センサーの底端には前記ランプほやと接触し係合される埃除きブロックが固定され、前記第六空きチャンバの右側端壁の中にはスプラインスリーブが回転できるように設置され、前記第六空きチャンバの中の前記スプラインスリーブの末端には前記第一傘歯車と噛み合う第二傘歯車が固定され、前記スプラインスリーブの右端にはスプライン軸が伝動できるように接続され、前記第一スライダーと前記第二空きチャンバとの間には第一バネが接続され、前記第二空きチャンバの頂壁には第一スライド溝が連通し、前記第一スライド溝の中には第二スライダーがスライドできるように設置され、前記第二スライダーの左端には永久磁石が固定され、前記第一スライド溝の左端壁の中には前記永久磁石と係合される電磁石が設けられ、前記永久磁石の右端には第一通電導片が固定され、前記駆動モータの左端には前記第一通電導片と係合される第二通電導片が固定され、前記の頂壁には第二スライド溝が連通し、前記第二スライド溝の中には前記第二スライダーと固定的に接続される第三スライダーがスライドできるように設置され、前記第三スライダーと前記第二スライド溝との間には第二バネが接続され、前記第二空きチャンバの中の前記スプライン軸の末端には第三傘歯車が固定され、前記第三傘歯車の左端には第二円盤が左右に対称的に設けられ、前記第二円盤の間には前記第二スライダーと固定される第二固定ブロックが設けられる。
【０００６】
有益的なには、前記第二空きチャンバと前記第四空きチャンバとの間には前記駆動モータと回転できるように接続される第二回転軸が回転できるように接続され、前記第二空きチャンバの中の前記第二回転軸の外表面には前記第三傘歯車と係合される第四傘歯車が固定され、前記第四傘歯車の底端には円形歯車が固定され、前記第一スライダーの右端面には前記円形歯車と噛み合うラックが固定され、前記第一空きチャンバと前記本体の頂端には第三回転が回転できるように設置され、前記本体の外端の前記第三回転にはタービンブレードが固定され、前記第一空きチャンバの中の前記第三回転には第三円盤が固定され、前記第三円盤には第三バネによって第三固定ブロックが接続され、前記第三固定ブロックの外側には第三通電導片が固定され、前記第二通電導片の頂面には前記第三通電導片と係合される第四通電導片が固定される。
【０００７】
有益的なには、前記スイングスプリンクラーは前記第四空きチャンバを含み、前記第四空きチャンバの中の第二回転軸の末端には第四円盤が固定され、前記第四円盤の底面には第四回転軸が回転し、前記第四回転軸の外側表面には歯止めが固定され、前記歯止めと前記第四円盤との間には第四バネが接続され、前記第四空きチャンバと前記第五空きチャンバとの間には第五回転軸が回転できるように接続され、前記第四空きチャンバの中の前記第五回転軸の末端には前記歯止めと係合されるラチェットが固定され、前記第五空きチャンバの中の前記第五回転軸の末端には第五円盤が固定され、前記第五空きチャンバの左端には第六回転軸が回転できるように設置され、前記第六回転軸外表面には右に伸びている第四固定ブロックが固定され、前記第四固定ブロックの中には第三スライド溝が設けられ、前記第五円盤の底面には前記第三スライド溝の中にスライドできるように設置される第四スライダーが固定され、前記第四固定ブロックの右端にはウォーターポンプが固定され、前記ウォーターポンプの右端にはシャワーが設けられ、前記ウォーターポンプの左端には第五通電導片が設けられ、前記第五通電導片の左端には第四スライド溝が設けられ、前記第四スライド溝の中には第五スライダーがスライドできるように設置され、前記第五スライダーと前記第四スライド溝との間には第五バネが接続され、前記第五スライダーの右端面には前記第五通電導片と係合される第六通電導片が固定され、前記地面の中の前記本体の右端面には前記ブッシュと接触する湿度センサーが固定され、前記駆動モータの右端面には第七通電導片が固定され、前記第七通電導片と前記湿度センサーには通電ワイヤが電力によって接続される。
【発明の効果】
【０００８】
本発明の有益的な効果は：本発明の園林景観照明は、運動エネルギーの利用率が高く、機械的構造を使用して複数の機能を実現して共存させ、機能が豊富で、適用するシナリオが広く、同時に寿命が長くて環境にやさしく、実用性が強い。
【図面の簡単な説明】
【０００９】
【図１】図1は本発明の園林景観照明の全体構成略図である；
【図２】図2は本発明の図1のAの拡大構成略図である；
【図３】図3は本発明の図1のBの拡大構成略図である；
【発明を実施するための形態】
【００１０】
本発明書に開示した全ての特徴、或いは開示した全ての方法、過程中のステップは、互いに排斥する特徴或いはステップ以外に、いかなる方式で組み合わせることができる。
【００１１】
下記に図1-3をあわせて本発明について詳しく説明し、便利に説明するために、下記の方向を以下のように規定する：以下に述べる上下左右前後の方向と図1の自身投影関係の上下左右前後の方向とが一致である。
【００１２】
図1-3に示すように、本発明の園林景観照明は、本体100を含み、前記本体100の中には防風収縮装置とランプほやクリーニング装置とスイングスプリンクラーが設けられる；前記本体100は前記地面111に取り付けられ、前記地面111の左側が歩道109であり、前記地面111の右側はブッシュ117で、前記本体100の頂端には第一空きチャンバ102が設けられ、前記第一空きチャンバ102の底端には左に開口した第二空きチャンバ132が設けられ、前記第二空きチャンバ132と前記第一空きチャンバ102との間には駆動モータ135が固定され、前記第二空きチャンバ132の中には前記本体100から差し出す第一スライダー103がスライドできるように設置され、前記第一スライダー103の底端には左に開口した第三空きチャンバ104が連通し、前記第三空きチャンバ104の右側端壁の中には第四空きチャンバ128が設けられ、前記第四空きチャンバ128の底端には右に開口した第五空きチャンバ106が設けられ、前記第一スライダー103の左端には第六空きチャンバ158が設けられ、前記第六空きチャンバ158が下方に伸びており、且つ第一回転軸160と回転できるように設置され、前記第六空きチャンバ158の中の前記第一回転軸160の末端には第一傘歯車159が固定され、第一スライダー103の外端の前記第一回転軸160の末端には第一円盤162が固定され、前記第一円盤162の底端にはランプほや165が固定され、前記ランプほや165と前記第一円盤162との間には第七空きチャンバ169が形成され、前記第一円盤162の中心が下方に伸びており、且つ前記第一円盤162の中心には灯管168が固定され、前記第一円盤162の左側頂面には第一光センサー167が固定され、前記第一円盤162の左側には前記第一スライダー103と固定される第一固定ブロック163が設けられ、前記第一固定ブロック163の右端面には前記第一光センサー167と係合される第二光センサー164が固定され、前記第二光センサー164の底端には前記ランプほや165と接触し係合される埃除きブロック166が固定され、前記第六空きチャンバ158の右側端壁の中にはスプラインスリーブ171が回転できるように設置され、前記第六空きチャンバ158の中の前記スプラインスリーブ171の末端には前記第一傘歯車159と噛み合う第二傘歯車170が固定され、前記スプラインスリーブ171の右端にはスプライン軸151が伝動できるように接続され、前記第一スライダー103と前記第二空きチャンバ132との間には第一バネ133が接続され、前記第二空きチャンバ132の頂壁には第一スライド溝148が連通し、前記第一スライド溝148の中には第二スライダー150がスライドできるように設置され、前記第二スライダー150の左端には永久磁石149が固定され、前記第一スライド溝148の左端壁の中には前記永久磁石149と係合される電磁石147が設けられ、前記永久磁石149の右端には第一通電導片156が固定され、前記駆動モータ135の左端には前記第一通電導片156と係合される第二通電導片157が固定され、前記148の頂壁には第二スライド溝144が連通し、前記第二スライド溝144の中には前記第二スライダー150と固定的に接続される第三スライダー146がスライドできるように設置され、前記第三スライダー146と前記第二スライド溝144との間には第二バネ145が接続され、前記第二空きチャンバ132の中の前記スプライン軸151の末端には第三傘歯車154が固定され、前記第三傘歯車154の左端には第二円盤153が左右に対称的に設けられ、前記第二円盤153の間には前記第二スライダー150と固定される第二固定ブロック152が設けられる。
【００１３】
有益的なには、前記第二空きチャンバ132と前記第四空きチャンバ128との間には前記駆動モータ135と回転できるように接続される第二回転軸130が回転できるように接続され、前記第二空きチャンバ132の中の前記第二回転軸130の外表面には前記第三傘歯車154と係合される第四傘歯車134が固定され、前記第四傘歯車134の底端には円形歯車131が固定され、前記第一スライダー103の右端面には前記円形歯車131と噛み合うラック155が固定され、前記第一空きチャンバ102と前記本体100の頂端には第三回転139が回転できるように設置され、前記本体100の外端の前記第三回転139にはタービンブレード101が固定され、前記第一空きチャンバ102の中の前記第三回転139には第三円盤140が固定され、前記第三円盤140には第三バネ141によって第三固定ブロック142が接続され、前記第三固定ブロック142の外側には第三通電導片143が固定され、前記第二通電導片157の頂面には前記第三通電導片143と係合される第四通電導片138が固定される。
【００１４】
有益的なには、前記スイングスプリンクラーは前記第四空きチャンバ128を含み、前記第四空きチャンバ128の中の第二回転軸130の末端には第四円盤129が固定され、前記第四円盤129の底面には第四回転軸126が回転し、前記第四回転軸126の外側表面には歯止め125が固定され、前記歯止め125と前記第四円盤129との間には第四バネ127が接続され、前記第四空きチャンバ128と前記第五空きチャンバ106との間には第五回転軸113が回転できるように接続され、前記第四空きチャンバ128の中の前記第五回転軸113の末端には前記歯止め125と係合されるラチェット114が固定され、前記第五空きチャンバ106の中の前記第五回転軸113の末端には第五円盤112が固定され、前記第五空きチャンバ106の左端には第六回転軸105が回転できるように設置され、前記第六回転軸105外表面には右に伸びている第四固定ブロック108が固定され、前記第四固定ブロック108の中には第三スライド溝110が設けられ、前記第五円盤112の底面には前記第三スライド溝110の中にスライドできるように設置される第四スライダー107が固定され、前記第四固定ブロック108の右端にはウォーターポンプ123が固定され、前記ウォーターポンプ123の右端にはシャワー124が設けられ、前記ウォーターポンプ123の左端には第五通電導片122が設けられ、前記第五通電導片122の左端には第四スライド溝121が設けられ、前記第四スライド溝121の中には第五スライダー119がスライドできるように設置され、前記第五スライダー119と前記第四スライド溝121との間には第五バネ118が接続され、前記第五スライダー119の右端面には前記第五通電導片122と係合される第六通電導片120が固定され、前記地面111の中の前記本体100の右端面には前記ブッシュ117と接触する湿度センサー116が固定され、前記駆動モータ135の右端面には第七通電導片137が固定され、前記第七通電導片137と前記湿度センサー116には通電ワイヤ115が電力によって接続される。
【００１５】
次は、図1 - 3および上記に記述された本願発明のの園林景観照明の具体的な構成を参考にし、その使用方法を詳しく紹介する。
【００１６】
ブッシュ117の中の湿度が不足して水を補給する必要がある場合、湿度センサー116が起動し、駆動モータ135が回転し、これにより第四傘歯車134と円形歯車131と第四円盤129を回転連動させ、第四円盤129は歯止め125を回転連動させ、歯止め125はラチェット114と係合されてラチェット114を回転連動させ、ラチェット114が第五円盤112を回転連動させ、これにより、第四固定ブロック108が前後に揺動し、第五スライダー119は第四固定ブロック108の遠心力によって第五導電導片122を第六導電導片120と接触させ、電源投入後ウォータポンプ123は散水操作を行う；
【００１７】
装置が強風の天候に遭遇すると、タービンブレード101は第三円盤140を回転連動させ、第三円盤140は回転して第三固定ブロック142を第三回転軸139から離れさせ、第三通電導片143と第四通電導片138と接触する時、駆動モータ135が逆転し、これにより、円形歯車131は第一スライダー103を連動させて第二空きチャンバ132の中に収縮させ、同時ランプほや165は第三空きチャンバ104の中に収縮し、装置は防風収縮操作を完了する；
【００１８】
ランプほや165の外表面の灰が厚すぎる時、第二光センサー164と第一光センサー167との間の信号伝送は中断し、このとき、電磁石147と永久磁石149は反発し合い、第二スライダー150は右にスライドすると、第一通電導片156を第二通電導片157と接触係合させ、駆動モータ135は低速正転を行い、同時にラック155は第四傘歯車134と噛み合い、第四傘歯車134は第三傘歯車154を回転連動させ、第三傘歯車154はスプライン軸151を回転連動させ、スプライン軸151はスプラインスリーブ171を回転連動させ、スプラインスリーブ171はランプほや165を回転連動させ、埃除き処理を行う。
【００１９】
以上に述べたように、本発明の園林景観照明は、運動エネルギーの利用率が高く、機械的構造を使用して複数の機能を実現して共存させ、機能が豊富で、適用するシナリオが広く、同時に寿命が長くて環境にやさしく、実用性が強い。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020155396.tif 000003
【図２】
2020155396.tif 000004
【図３】
2020155396.tif 000005
【手続補正書】
【提出日】令和1年6月3日(2019.6.3)
【手続補正１】
【補正対象書類名】特許請求の範囲
【補正対象項目名】請求項１
【補正方法】変更
【補正の内容】
【請求項１】
園林景観照明であって、本体を含み、前記本体の中には防風収縮装置とランプほやクリーニング装置とスイングスプリンクラーが設けられる；前記本体は前記地面に取り付けられ、前記地面の左側が歩道であり、前記地面の右側はブッシュで、前記本体の頂端には第一空きチャンバが設けられ、前記第一空きチャンバの底端には左に開口した第二空きチャンバが設けられ、前記第二空きチャンバと前記第一空きチャンバとの間には駆動モータが固定され、前記第二空きチャンバの中には前記本体から差し出す第一スライダーがスライドできるように設置され、前記第一スライダーの底端には左に開口した第三空きチャンバが連通し、前記第三空きチャンバの右側端壁の中には第四空きチャンバが設けられ、前記第四空きチャンバの底端には右に開口した第五空きチャンバが設けられ、前記第一スライダーの左端には第六空きチャンバが設けられ、前記第六空きチャンバが下方に伸びており、且つ第一回転軸と回転できるように設置され、前記第六空きチャンバの中の前記第一回転軸の末端には第一傘歯車が固定され、第一スライダーの外端の前記第一回転軸の末端には第一円盤が固定され、前記第一円盤の底端にはランプほやが固定され、前記ランプほやと前記第一円盤との間には第七空きチャンバが形成され、前記第一円盤の中心が下方に伸びており、且つ前記第一円盤の中心には灯管が固定され、前記第一円盤の左側頂面には第一光センサーが固定され、前記第一円盤の左側には前記第一スライダーと固定される第一固定ブロックが設けられ、前記第一固定ブロックの右端面には前記第一光センサーと係合される第二光センサーが固定され、前記第二光センサーの底端には前記ランプほやと接触し係合される埃除きブロックが固定され、前記第六空きチャンバの右側端壁の中にはスプラインスリーブが回転できるように設置され、前記第六空きチャンバの中の前記スプラインスリーブの末端には前記第一傘歯車と噛み合う第二傘歯車が固定され、前記スプラインスリーブの右端にはスプライン軸が伝動できるように接続され、前記第一スライダーと前記第二空きチャンバとの間には第一バネが接続され、前記第二空きチャンバの頂壁には第一スライド溝が連通し、前記第一スライド溝の中には第二スライダーがスライドできるように設置され、前記第二スライダーの左端には永久磁石が固定され、前記第一スライド溝の左端壁の中には前記永久磁石と係合される電磁石が設けられ、前記永久磁石の右端には第一通電導片が固定され、前記駆動モータの左端には前記第一通電導片と係合される第二通電導片が固定され、前記の頂壁には第二スライド溝が連通し、前記第二スライド溝の中には前記第二スライダーと固定的に接続される第三スライダーがスライドできるように設置され、前記第三スライダーと前記第二スライド溝との間には第二バネが接続され、前記第二空きチャンバの中の前記スプライン軸の末端には第三傘歯車が固定され、前記第三傘歯車の左端には第二円盤が左右に対称的に設けられ、前記第二円盤の間には前記第二スライダーと固定される第二固定ブロックが設けられることを特徴とする園林景観照明。